(57)【要約】【課題】パラペットなどの躯体の天端面が傾斜していても、笠木の側面を垂下させた状態で係止できる笠木支持具を提供する。【解決手段】笠木５を被着する躯体４の天端部に固着可能な固着面８ｃを有する固着部２と、笠木５の垂下した両側係止部５ｃを係止可能で、固着部２の両端部に角度を変えて取付け可能な笠木係合部材３とを具備してなる笠木支持具１とする。好ましくは、固着部２の両端部には嵌合部を形成し、笠木係合部材３の内側部には上記嵌合部に任意角度で嵌合可能な対向嵌合部を形成した構成とする。【選択図】図２
2005076311.tif 000002
【特許請求の範囲】
【請求項１】
笠木を被着する躯体の天端部に固着可能な固着面を有する固着部と、笠木の垂下した両側係止部を係止可能で、固着部の両端部に角度を変えて取付け可能な笠木係合部材とを具備してなる笠木支持具。
【請求項２】
固着部の両端部には嵌合部を形成し、笠木係合部材の内側部には上記嵌合部に任意角度で嵌合可能な対向嵌合部を形成した構成を有してなる請求項１に記載の笠木支持具。
【請求項３】
嵌合部と対向嵌合部とは、回転可能に嵌まり合う挟持部と被挟持部を形成し、この嵌合接触面部分のいずれか一方に、平行した多数の係合溝又はこの係合溝と噛合可能な対応形状の係合条を形成し、他方にこれと対応する係合条又は係合溝を形成してなる請求項２に記載の笠木支持具。
【請求項４】
固着部の嵌合部は、両端部に回動可能に挟持する挟持部又は被挟持部を形成するとともに、その外方に上記回動を係止して固定し得る係合部を形成した構成とし、笠木係合部材の対向嵌合部は、内側部に前記挟持部又は被挟持部と対応する被挟持部又は挟持部を形成するとともに、その外方に上記係合部に対して係止して固定可能な対向係合部を形成した構成としてなる請求項１又は２に記載の笠木支持具。
【請求項５】
係合部は、平行した多数の係合溝又はこの係合溝と噛合可能な対応形状の係合条を形成した構成とし、対向係合部は、これと対応する係合条又は係合溝を形成した構成としてなる請求項４に記載の笠木支持具。
【請求項６】
固着部は、両端部に固定部を有する構成とし、笠木係合部材は、板材の内端部を上記固定部に取付可能な取付部とし、外側部を所望角度で下折形成した構成としてなる請求項１又は２に記載の笠木支持具。
【発明の詳細な説明】
【技術分野】
【０００１】
本発明は、建造物屋上に設けられたパラペットなどの天端部に固着し、笠木を被着する笠木支持具に関し、特に傾斜した天端部に好適な笠木支持具に関する。
【背景技術】
【０００２】
従来の笠木支持具としては、図６に示すように、パラペット５１など天端面５２に断面略Ｈの字状の固着板部５３を固着し、その両外側面に形成した凹凸状の被係合部５４と係合可能な板状部５５を適宜高さでクランプ５６により圧嵌して固定し、笠木５７の上下方向の位置調整を可能にしたものがある（例えば、特許文献１参照）。
【特許文献１】特開平７−２４３２４８号公報
【発明の開示】
【発明が解決しようとする課題】
【０００３】
従来の笠木支持具は、上記に示したように上下方向の位置調整はできるものは存在したが、パラペットなどの躯体の天端面が傾斜している場合には、直に笠木支持具を天端面に取り付けたのでは笠木支持具が傾き、側面部先端が躯体側面に当たってしまい、取り付けできないことがあった。また、天端面に笠木支持具を取り付けることができたとしても、笠木が傾き、笠木側面が垂直面を維持することができずに一方は下端ほど広がり、他方は下端ほど狭まってしまうため、笠木の納まりが悪くなり、特に躯体の角部でのつなぎが簡単確実に行い難くなってしまう問題があった。いずれにおいても外観の見栄えが悪くなるという問題が生じていた。
このため、天端面が傾斜している場合は、図７に示すように、ブラケット７１などを用いて笠木支持具７２を水平にして天端面７３に取り付けてから、笠木７４を取り付ける作業をしており、施工に手間や時間がかかるのみならず、傾斜に応じて特殊形態の笠木や特殊ブラケットなどの特殊部品が必要であった。
【０００４】
本発明は上記課題に着眼してなしたものであり、パラペットなどの躯体の天端面が傾斜している場合は、傾斜に抗して支持具乃至笠木を水平状態に維持しようとすることなく、傾斜に応じ傾斜状態を維持させたまま設置する考え方を採り、しかも笠木の垂下側面を垂直状態に維持したままで、角度の変化を吸収して、的確に支持が行えるようにし、笠木の面一状態を維持して納まりをよくするとともに、見栄えよく設置可能な笠木支持具を提供せんとするものである。
【課題を解決するための手段】
【０００５】
上記課題を解決するために、本発明は、笠木を被着する躯体の天端部分に固着可能な固着面を有する固着部と、笠木の垂下した両側係止部に係止可能で、固着部の両端部に角度を変えて取付け可能な笠木係合部材とを具備して、笠木支持具を構成したこと、また、この固着部の両端部には嵌合部を形成し、笠木係合部材の内側部には上記嵌合部に任意角度で嵌合可能な対向嵌合部を形成して笠木支持具を構成したことを特徴とする。
上記嵌合部と対向嵌合部とは、回転可能に嵌まり合う挟持部と被挟持部を形成し、この嵌合接触面部分のいずれか一方に、平行した多数の係合溝又はこの係合溝と噛合可能な対応形状の係合条を形成し、他方にこれと対応する係合条又は係合溝を形成してなるように構成することも可能である。
【０００６】
或いは、上記固着部の嵌合部は、両端部に回動可能に挟持する挟持部又は被挟持部を形成するとともに、その外方に上記回動を係止して固定し得る係合部を形成した構成とし、上記笠木係合部材の対向嵌合部は、内側部に前記挟持部又は被挟持部と対応する被挟持部又は挟持部を形成するとともに、その外方に上記係合部に対して係止して固定可能な対向係合部を形成した構成とすることができる。
この場合、係合部は、平行した多数の係合溝又はこの係合溝と噛合可能な対応形状の係合条を形成した構成とし、対向係合部は、これと対応する係合条又は係合溝を形成した構成とするのが好ましい。
なおまた、固着部は、両端部に固定部を有する構成とし、笠木係合部材は、板材の内端部を上記固定部に取付可能な取付部とし、外側部を所望角度で下折形成した構成とすることは可能である。
【発明の効果】
【０００７】
本発明の笠木支持具によれば、パラペットなどの躯体の天端面が傾斜していても、傾斜に応じて笠木係合部材を固着部に取り付けることができ、これにより笠木も傾斜状態のままで、しかも笠木の垂下側面部を垂直状態に維持したままで、笠木に的確に合致した設置状態を実現することができる。このため躯体の角部であっても笠木の納まり状態は一定となり、笠木と躯体との間隙が広狭変化せず、見栄えよいものとなる。
【発明を実施するための最良の形態】
【０００８】
以下、本発明の笠木支持具の第一実施形態を図面を用いて説明する。
図１は、笠木支持具の第一実施形態の分解斜視図、図２は図１の笠木支持具を緩勾配の躯体天端面に設置した状態を示し、図３は急勾配の躯体天端面に設置した状態を示してある。
本発明の笠木支持具１は、固着部２の両端部に笠木係合部材３を結合して、躯体４すなわちパラペットの天端面４ａの傾斜に沿って固着可能な形態を有し、上方から笠木５を被着し、笠木の両側面を垂下状態で係止できるようにしたものである。
【０００９】
固着部２は、両固着具６、６を中間部に配設する連結部材７の両端部に連結するものであり、固着具６は、上方開口した断面略コの字形状をした本体部８の内側部８ａから外側に略矩板形状の連結片９を張出し突設して、後述する連結部材７の開口部７ａに嵌合できるように形成し、本体部８の外側部８ｂに笠木係合部材３を取り付けることができる嵌合部として挟持部１０と係合突片１１とを形成してある。
挟持部１０は、外側部８ｂの下方寄りから外側に張出し突設し、先端を外方開口した縦断面略Ｃ字形状としてある。係合突片１１は、略矩板形状で外側部８ｂの上方寄りから外側に張出し突設し、その下面１１ａを挟持部１０のＣ形状と同心円的曲面となるように形成するとともに、その面部分に躯体長手方向に沿って平行する断面三角状の複数条の係合溝１４ａを設け、係合部１４としている。係合溝１４ａの条数は特に限定するものではないが、笠木係合部材３が角度を変えても被係合部１６が係合するに十分な巾を持たせて形成してある。
本体８の下面は固着面８ｃとし、その両端寄りには下方に向け脚部１２、１２を突設していて、固着面８ｃを躯体面から若干浮かせ、躯体面の凹凸を吸収できるようにしてある。
固着面８ｃには、長孔形状の固着孔１３を穿設し、ボルトなどにより躯体４の天端面４ａに固着できるようにしてある。
【００１０】
連結部材７は、板状の偏平中空体をしており、両端の開口部７ａ、７ａに前記連結片９が嵌合できるように形成してある。本実施形態では、連結部材７と連結片９とを開口部７ａに嵌め合わせているが、連結部材７及び連結片９に上下方向に孔を開け、ビスなどで固定してもよく、連結部材７及び連結片９の面上に躯体幅方向に沿い長孔を開け、長孔を通してボルトナットなどで締結することにより固着部２の長さを調整できるようにしてもよい。天端面４ａの幅に合わせて設置できるものとするのが好ましいが、複数の部材で固着部２を形成せず、一体に形成してもよい。
上記固着具６、６と連結部材７を連結した状態の固着部２の形態は、傾斜した天端面４ａに沿うように構成させている。
【００１１】
笠木係合部材３は、固着部２の両側部に下折れ片部分を形成し、笠木５の両側係止部を係止させるものであり、内側から内方に対向嵌合部として被挟持部１５を突設し、被挟持部１５の先端を外方に開口した縦断面略Ｃ形状に形成し、被挟持部１５が挟持部１０に回動可能に挟持されるように形成してある。本実施形態では、被挟持部１５が挟持部１０内に納まるように形成してあるが、逆に挟持部１０が被挟持部１５内に納まるように形成してもよい。
笠木係合部材３の上方には、被挟持部１５の突設方向に折曲した傾斜面３ａを形成し、さらにその上方を該突設方向に折曲し折曲面３ｂを形成してある。折曲面３ｂの上面３ｃは、係合突片１１の下面１１ａ上を摺動可能な形状とし、その面部分に躯体長手方向に沿って断面略三角状の係合条１６ａを突設し、係合部１４と係合可能な対向係合部１６としてある。本実施形態では、係合部１４に係合溝１４ａを、対向係合部１６に係合条１６ａを設けているが、係合部１４に係合条を、対向係合部１６に係合溝を設けるようにしてもよい。また、係合溝１４ａ及び係合条１６ａの形状は、特に限定するものではなく、断面略半円状や断面略矩形状などとしてもよい。
また、笠木係合部材３の下方は、笠木係合片３ｄとし、下端に笠木５の両側係止部５ｃが係止できる笠木係合部３ｅが形成されている。笠木係合片３ｄの長さは躯体側面４ｂを被覆できる適宜長さとする。
【００１２】
笠木５は、長尺状の板材であり、躯体の傾斜した天端面４ａに沿いかつ間隙を保って天端部に被着するように形成してあり、長手両側部が笠木係合部３ｅに係止できるようになっている。すなわち、躯体４の天端面４ａに沿う傾斜面５ａの躯体幅方向の両側部を躯体側面４ｂと平行した垂直面状態となるように折曲して折曲面５ｂ、５ｂを形成し、この折曲面５ｂの下端部を内方に略直角に折曲して、笠木係合部材３に係止可能な両側係止部５ｃ、５ｃを形成してある。
【００１３】
以下、笠木５の取付方法を説明する。
連結部材７の両開口部７ａに固着具６の連結片９を嵌合して固着部２を形成し、固着面８ｃに設けた固着孔１３にボルト１７などを挿通して、天端面４ａに固着部２を固着し、固着部２を躯体４の天端面４ａに躯体幅方向に沿い適宜間隔で配設する。
次に、笠木係合部材３を躯体長手方向にスライドさせるようにして、挟持部１０に被挟持部１５を挟持させ、係合部１４の係合溝１４ａに対向係合部１６の係合条１６ａを係止させて、固着部２に結合する。この際、係合条１６ａが係合する係合溝１４ａの位置を変えることにより笠木係合部材３の固着面８ｃに対する角度を変えることができる。例えば、天端面４ａが緩勾配である場合は、図２に示すように、躯体外方（左側）の笠木係合部材３の係合条１６ａを係合溝１４ａの中間部乃至内側寄り部に係合させ、右側の笠木係合部材３の係合条１６ａを係合溝１４ａの中間部乃至外側寄り部に係合させる。天端面４ａが急勾配である場合は、図３に示すように、躯体外方（左側）の笠木係合部材３の係合条１６ａを係合溝１４ａの外側寄り部に係合させ、右側のものを係合溝１４ａの内側寄り部に係合させる。
【００１４】
上記とは異なり、笠木係合部材３を固着部２の両側に上記と同様にして所定角度を持って連結し、その上で笠木支持具１を躯体天端部の固着するようにしてもよい。
いずれの方法であっても、こうして内外の笠木係合部材の笠木係合部３ｅと躯体側面との間隔は略一定となる。その上で笠木５を被着させればよい。
このように、本発明の第一実施形態の笠木支持具１は、躯体４の天端面４ａがどのような傾斜角でも取り付けることができ、天端面４ａの傾斜に合わせて笠木係合部材３の取付角を変えることにより笠木５の折曲面５ｂが垂下するようにして笠木５を取り付けることができる。
【００１５】
次に、本発明の笠木支持具の第二実施形態を説明する。
図４（ａ）は、笠木支持具の第二実施形態の固着部の嵌合部付近及び笠木係合部材の概略斜視図、図４（ｂ）は、（ａ）の笠木支持具を躯体の天端面に設置した状態の嵌合部付近を示した概略側断面図である。
この笠木支持具２１は、固着部２２の両端部に笠木係合部材２３を結合して、躯体４すなわちパラペットの天端面４ａの傾斜に沿って固着可能な形態を有し、上方から笠木２４を被着し、笠木の両側面を垂下状態で係止できるようにしたものである。
なお、下記に説明する名称、符号以外は第一実施形態と同一のものを使用し、共通の考え方の繰り返し部分は省略する。
【００１６】
固着部２２は、固着具２５の外側部２５ａの構成以外は前記第一実施形態と略同一である。
固着具２５の外側面２５ｂには、外方開口した縦断面略Ｃ形状の挟持部２６を張出し突設して嵌合部を形成し、挟持部２６の内周面部分には躯体長手方向に平行した多数の断面略三角形状の係合溝２６ａが形成され、後述する笠木係合部材２３の被挟持部２７と回転可能に嵌まり合い、適宜角度で噛合できるようにしてある。
【００１７】
笠木係合部材２３は、固着部２の両側部に下折れ片部分を形成し、笠木５の両側係止部を係止させるものであり、内側から内方に対向嵌合部として被挟持部２７を形成し、被挟持部２７の先端を縦断面略Ｃ形状に形成し、外周面部分には挟持部２６の係合溝２６ａと噛合可能な係合条２７ａを設けてある。
笠木係合部材２３の下方は、笠木係合片２３ａとし、下端に笠木２４の係止部２４ａが係止できる笠木係合部２３ｂが形成されている。笠木係合片２３ａの長さは躯体側面４ｂが被覆できる適宜長さとする。
【００１８】
笠木２４は、上記第一実施形態の笠木５と同じく、躯体の傾斜した天端面４ａに沿いかつ間隙を保って天端部に被着するように形成してある。
【００１９】
以下、笠木２４の取付方法を説明する。
連結部材７の両開口部７ａに固着具２５の連結片９を嵌合して固着部２２を形成し、固着面８ｃに設けた固着孔１３にボルト１７などを挿通して、天端面４ａに固着部２２を固着し、固着部２２を躯体４の天端面４ａに躯体幅方向に沿い適宜間隔で配設する。
次に、笠木係合部材３を躯体長手方向にスライドさせるようにして、挟持部２６の係合溝２６ａと被挟持部２７の係合条２７ａとを噛合させる。この際、係合条２７ａが噛合する係合溝２６ａの位置を変えることにより笠木係合部材２３の固着面８ｃに対する角度を変えることができる。例えば、図４（ｂ）に示すように、躯体外方（左側）の笠木係合部材２３の上方に設けた係合条２７ａを係合溝２６ａの中間部乃至外側寄り部に噛合させることにより、笠木係合部材２３を内方に傾斜させることができ、中間部乃至内側寄り部に噛合させることにより、笠木係合部材２３を外方に傾斜させることができる。
適宜角度で笠木係合部材２３を固着部２２に噛合したら、この笠木支持具２１の形状に合わせて製作した笠木２４の先端の両側係止部２４ａを笠木係合部２３ｂに係合させることにより笠木２４を躯体４の天端面４ａに取り付けることができる。
このように、第二実施形態の笠木支持具２１は、躯体４の天端面４ａがどのような傾斜角でも取り付けることができ、天端面４ａの傾斜に合わせて笠木係合部材２３の取付角を変えることにより笠木２４の折曲面２４ｂと躯体側面４ｂとの間隙が目立たないように笠木２４を取り付けることができる。
【００２０】
以下、本発明の笠木支持具の第三実施形態を図面を用いて説明する。
図５（ａ）は、本発明の笠木支持具の第三実施形態の固着部の固定部付近及び笠木係合部材の概略斜視図、図５（ｂ）は、図５（ａ）の笠木支持具を緩勾配である躯体の天端面に設置した状態の固定部付近を示した概略側断面図、図５（ｃ）は、図５（ａ）の笠木支持具を急勾配である躯体の天端面に設置した状態の固定部付近を示した概略側断面図である。
【００２１】
本発明の笠木支持具３１は、固着部３２の両端部に笠木係合部材３３を結合して、躯体４すなわちパラペットの天端面４ａの傾斜に沿って固着可能な形態を有し、上方から笠木３４を被着し、笠木の両側部を垂下状態で係止できるようにしたものである。
なお、下記に説明する名称、符号以外は第一実施形態と同一のものを使用し、共通の考え方の繰り返し部分は省略する。
【００２２】
固着部３２は、固着具３５の外側部３５ａの構成以外は前記第一実施形態と略同一である。
固着具３５の外側面３５ｂには、嵌合部として固定部３６が張出し突設してあり、固定部３６の略矩形状に開口した開口部３６ａに、後述する笠木係合部材３３の取付部３７が取り付けできるよう形成してある。
【００２３】
笠木係合部材３３は、固着部３２の両側部に下折れ片部分を形成し、笠木３４の両端部を係止させるものであり、内端部を対向嵌合部として取付部３７とし、取付部３７が固定部３６の開口部３６ａに嵌合可能に形成してある。本実施形態では取付部３７を固定部３６に嵌合させて取り付けているが、これに限定されるものではなく、固定部３６及び取付部３７に上下方向に孔を穿設し、ビスなどで締結してもよい。
笠木係合部材３３の外端部は、所望角度で下折れ形成した笠木係合片３３ａとし、下端に笠木３４の両側係止部３４ａが係止できる笠木係合部３３ｂが形成されている。笠木係合片３３ａの長さは躯体側面４ｂが被覆できる適宜長さとする。
笠木係合部材３３は、様々な角度で折曲したものを作製しておく。
【００２４】
笠木３４は、上記第一実施形態の笠木５と同じく、躯体の傾斜した天端面４ａに沿いかつ間隙を保って天端部に被着するように形成してある。
【００２５】
以下、笠木３４の取付方法を説明する。
連結部材７の両開口部７ａに固着具３６の連結片９を嵌合して固着部３２を形成し、固着面８ｃに設けた固着孔１３にボルト１７などを挿通し、天端面４ａに固着部２を固着し、固着部３２を躯体４の天端面４ａに躯体幅方向に沿い適宜間隔で配設する。
次に、笠木係合部材３３を固着部３２の両端に形成した、固定部３６の開口部３６ａに取付部３７を嵌合させる。この際、様々な角度で折曲した笠木係合部材３３のうち、躯体４の天端面４ａに合うものを選択して嵌合させる。これにより、笠木係合部材３３の固着面８ｃに対する角度を変えることができ、躯体側面４ｂと適宜間隙を保つことができる。例えば、図５（ｂ）又は（ｃ）に示すように、躯体４の天端面４ａが緩勾配の場合は、躯体外方（左側）に設置する笠木係合部材３３は、内角の大きいものを選択して嵌合させ、躯体４の天端面４ａが急勾配の場合は、内角の小さいものを選択して嵌合させる。
笠木係合部材３３を固定部３６に嵌合したら、この笠木支持具３１の形状に合わせて製作した笠木３４の両側係止部３４ａを笠木係合部３３ｂに係止させることにより笠木３４を躯体４の天端面４ａに取り付けることができる。
このように、第三実施形態の笠木支持具３１は、躯体４の天端面４ａがどのような傾斜角でも取り付けることができ、天端面４ａの傾斜に合わせて笠木係合部材３３の折曲角を変えたものを取り付けることにより笠木３４の折曲面３４ｂと躯体側面４ｂとの間隙が目立たないように笠木３４を取り付けることができる。
【図面の簡単な説明】
【００２６】
【図１】本発明の笠木支持具の第一実施形態の分解斜視図である。
【図２】図１の笠木支持具を緩勾配である躯体の天端面に設置した状態を示した概略側断面図である。
【図３】図１の笠木支持具を急勾配である躯体の天端面に設置した状態を示した概略側断面図である。
【図４】（ａ）は本発明の笠木支持具の第二実施形態の固着部の嵌合部付近及び笠木係合部材の概略斜視図、（ｂ）は（ａ）の笠木支持具を躯体の天端面に設置した状態の嵌合部付近を示した概略側断面図である。
【図５】（ａ）は本発明の笠木支持具の第三実施形態の固着部の固定部付近及び笠木係合部材の概略斜視図、（ｂ）は（ａ）の笠木支持具を緩斜面である躯体の天端面に設置した状態の固定部付近を示した概略側断面図、（ｃ）は（ａ）の笠木支持具を急勾配である躯体の天端面に設置した状態の固定部付近を示した概略側断面図である。
【図６】従来の笠木支持具の一例を示した側断面図である。
【図７】従来の笠木支持具の他の一例を示した側断面図である。
【符号の説明】
【００２７】
１  笠木支持具
２  固着部
３  笠木係合部材
３ａ  傾斜面
３ｂ  折曲面
３ｃ  上面
３ｄ  笠木係合片
３ｅ  笠木係合部
４  躯体
４ａ  天端面
４ｂ  躯体側面
５  笠木
５ａ  傾斜面
５ｂ  折曲面
５ｃ  両側係止部
６  固着具
７  連結部材
８  本体
８ａ  内側部
８ｂ  外側部
８ｃ  固着面
９  連結片
１０  挟持部
１１  係合突片
１１ａ  下面
１２  脚部
１３  固着孔
１４  係合部
１４ａ  係合溝
１５  被挟持部
１６  対向係合部
１６ａ  係合条
１７  ボルト
１８〜２０  （欠番）
２１  笠木支持具
２２  固着部
２３  笠木係合部材
２３ａ  笠木係合片
２３ｂ  笠木係合部
２４  笠木
２４ａ  係止部
２４ｂ  折曲面
２５  固着具
２５ａ  外側部
２５ｂ  外側面
２６  挟持部
２６ａ  係合溝
２７  被挟持部
２７ａ  係合条
２８〜３０  （欠番）
３１  笠木支持具
３２  固着部
３３  笠木係合部材
３３ａ  笠木係合片
３３ｂ  笠木係合部
３４  笠木
３４ａ  係止部
３４ｂ  折曲面
３５  固着具
３５ａ  外側部
３５ｂ  外側面
３６  固定部
３６ａ  開口部
３７  取付部
３８〜５０  （欠番）
５１  パラペット
５２  天端面
５３  固着板部
５４  被係合部
５５  板状部
５６  クランプ
５７  笠木
５８〜７０  （欠番）
７１  ブラケット
７２  笠木支持具
７３  天端面
７４  笠木
【図１】
2005076311.tif 000003
【図２】
2005076311.tif 000004
【図３】
2005076311.tif 000005
【図４】
2005076311.tif 000006
【図５】
2005076311.tif 000007
【図６】
2005076311.tif 000008
【図７】
2005076311.tif 000009